【事件の表示】
　特許第３０３８５８７号「電気掃除機」の請求項１、３に係る特許に対する特許異議の申立てについて、次のとおり決定する。
【結　論】
　訂正を認める。
　特許第３０３８５８７号の請求項１に係る特許を維持する。
【理　由】
〔１〕手続の経緯
　特許第3038587号の請求項１〜４に係る発明についての出願は、平成２年３月29日に特許出願され、平成12年３月３日にその発明について特許権の設定登録がされ、その後、その請求項１及び請求項３に係る発明の特許について、異議申立人松下電器産業株式会社より特許異議の申立てがされ、取消しの理由が通知され、その指定期間内である平成13年５月22日に訂正請求がされたものである。
　
〔２〕訂正の適否についての判断
　ア.訂正の内容
　特許権者が求めている訂正の内容は、以下のa〜dのとおりである。
　a.特許請求の範囲の請求項１に記載される「電動送風機及び集塵室を内蔵した掃除機本体と、この掃除機本体に設けられたハンドルと、前記掃除機本体の前部に前記集塵室と連通して回動自在に連結された床ノズルとからなり、該床ノズル又は前記掃除機本体のいずれか一方に電動送風機の運転を操作する操作手段を設け、前記床ノズルに対し前記掃除機本体を傾けることにより、その傾きに連動して上下動するように取り付けられた可動部品を介して前記操作手段を作動させて電気回路を開閉することを特徴とする電気掃除機。」を、「電動送風機及び集塵室を内蔵した掃除機本体と、この掃除機本体に設けられたハンドルと、前記掃除機本体の前部に前記集塵室と連通して回動自在に連結された床ノズルとからなり、該床ノズル又は前記掃除機本体のいずれか一方に、前記電動送風機に電力を供給する電気回路を開閉することで電動送風機の運転を操作する操作手段と、前記床ノズルに対し前記掃除機本体を傾けることにより、その傾きに連動して上下動するように取り付けられて前記操作手段を作動させる可動部品を設け、前記床ノズルと掃除機本体との間の空間が少ないか或いはゼロのときに前記床ノズル又は前記掃除機本体によって前記可動部品が動作されることを特徴とする電気掃除機。」と訂正する。
　b.特許請求の範囲の請求項３を削除し、請求項４を新たな請求項３に繰り上げる。
　c.詳細な説明中の明細書第３頁第８〜13行（特許公報第３欄第42行〜第４欄第５行）の「掃除機本体と、ハンドルと、掃除機本体の前部に連結された床ノズルとからなり、床ノズル又は掃除機本体のいずれか一方に、床ノズルに対し掃除機本体を傾けることにより本体内の電気回路の開閉を、その傾きに連動して上下動するように取り付けられた可動部品を介して、又はその傾きに連動して発光素子からの信号が受光素子で受信できない構成とし、その信号の変化を検知回路を通して、又はその傾きに連動して掃除機本体が回転する支点部の軸に設けたカムを回転させて行なう電動送風機の運転操作手段を設けたものである。また、前記床ノズル又は前記掃除機本体のいずれか一方に、前記床ノズルに対し前記掃除機本体の傾き角度を変化させることにより電動送風機の吸塵力を変化させる入力制御手段を設けたものである。」を「掃除機本体と、ハンドルと、掃除機本体の前部に連結された床ノズルとからなり、床ノズル又は掃除機本体のいずれか一方に、前記電動送風機に電力を供給する電気回路を開閉することで電動送風機の運転を操作する操作手段と、前記床ノズルに対し前記掃除機本体を傾けることにより、その傾きに連動して上下動するように取り付けられて前記操作手段を作動させる可動部品を設け、前記床ノズルと掃除機本体との間の空間が少ないか或いはゼロのときに前記床ノズル又は前記掃除機本体によって前記可動部品が動作されるものである。また、床ノズルに対し掃除機本体を傾けることによりその傾きに連動して発光素子からの信号が受光素子で受信できない構成とし、その信号の変化を検知回路を通して、前記操作手段を作動させて電気回路を開閉するものである。また、前記床ノズル又は前記掃除機本体のいずれか一方に、前記床ノズルに対し前記掃除機本体の傾き角度を変化させることにより電動送風機の吸塵力を変化させる入力制御手段を設けたものである。」と訂正する。
　d.詳細な説明中の明細書第８頁第６〜10行（特許公報第６欄第13〜22行）の「以上のように、本発明は掃除時に掃除機本体を傾けて使用することを利用し、床ノズルに対する掃除機本体の傾き角度の変化により電気回路をON，OFFする操作手段を設けたので、電動送風機の操作性が向上し、使い勝手のよい電気掃除機を得ることができる。また、本発明によれば、傾斜面であっても電気回路をOFFさせることなく使用することができる。さらに、本体の傾き量に応じて、吸塵力を変化させることができるので、被掃除面の状態等に応じて良好な吸塵状態を選択することができる。」を「以上のように、本発明の請求項１に記載の電気掃除機によれば、掃除時に掃除機本体を傾けて使用することを利用し、床ノズルに対する掃除機本体の傾き角度の変化により電気回路をON，OFFする操作手段を設けたので、電動送風機の操作性が向上し、使い勝手のよい電気掃除機を得ることができる。また、傾斜面であっても電気回路をOFFさせることなく使用することができる。また、本発明の請求項２に記載の電気掃除機によれば、掃除時に掃除機本体を傾けて使用することを利用し、床ノズルに対する掃除機本体の傾き角度の変化により電源回路をON，OFFする操作手段を設けたので、電動送風機の操作性が向上し、使い勝手のよい電気掃除機を得ることができる。また、傾斜面であっても電気回路をOFFさせることなく使用することができる。さらに、本発明の請求項３に記載の電気掃除機によれば、本体の傾き量に応じて、吸塵力を変化させることができるので、被掃除面の状態等に応じて良好な吸塵状態を選択することができる。」と訂正する。
　
　イ.訂正の目的の適否、新規事項の有無及び拡張・変更の存否
　上記aの訂正事項に関連する記載として、願書に添付した明細書（以下「特許明細書」という。）には「床ノズルに対し掃除機本体を傾けることにより本体内の電気回路の開閉を・・・電動送風機の運転操作手段を設けたものである。」と記載されていることから、「前記電動送風機に電力を供給する電気回路を開閉することで電動送風機の運転を操作する操作手段」は特許明細書に記載されているものと認められ、同じく「第２図〜第４図に示すように電動送風機の運転操作手段(5)と・・・連動して上下動する可動部品(7)を介して・・・接触している。」と記載されていることから、「前記操作手段を作動させる可動部品を設け」られた点は特許明細書に記載されているものと認められ、同じく「そのため床ノズル(3)と掃除機本体(1)との間には空間が少ないか、又はゼロなので、本体ケース(2)により可動部品(7)が圧下され、運転操作手段(5)が電気的にOFFになっている。」と記載されていることから、「床ノズルと掃除機本体との間の空間が少ないか或いはゼロのときに前記床ノズル又は前記掃除機本体によって前記可動部品が動作される」ことは特許明細書に記載されているものと認める。
　そうすると、上記aの訂正は、特許明細書に記載された事項の範囲内において電気掃除機を限定したものであるから、特許請求の範囲の減縮に該当するものであり、新規事項の追加に該当しない。
　
　上記bの訂正は、特許請求の範囲の減縮を目的とした請求項の削除であるから、新規事項の追加に該当しない。
　
　上記cの訂正は、上記特許請求の範囲の請求項１の訂正にともない整合を図るものであり、明りょうでない記載の釈明を目的とするものであるから、新規事項の追加に該当しない。
　
　上記dの訂正は、明りょうでない記載の釈明を目的とするものであるから、新規事項の追加に該当しない。
　
　そして、上記いずれの訂正も実質上特許請求の範囲を拡張し、又は変更するものでもない。
　
　ウ.むすび
　以上のとおりであるから、上記訂正は、特許法第120条の４第２項及び第３項において準用する平成６年法改正前の同法第126条第１項ただし書及び同条第２項の規定に適合するので、当該訂正を認める。
　
〔３〕特許異議申立てについて
　ア.申立ての理由の概要
　申立人松下電器産業株式会社は、本件の請求項１に係る発明（以下「本件発明」という。）は、甲第１号証（実願昭55-5988号（実開昭56-108860号）のマイクロフィルム）に記載の発明に基づいて当業者が容易に発明できたものであり、本件の請求項３に係る発明は、甲第１号証及び甲第２号証（実願昭58-177634号（実開昭60-83555号）のマイクロフィルム）に記載された発明に基づいて当業者が容易に発明をすることができたものであるから、それぞれ、特許法第29条第２項の規定により特許を受けることができないというものである。
　
　イ.本件発明
　上記〔２〕で示したように上記訂正が認められるから、本件発明は、上記訂正に係る訂正明細書の特許請求の範囲の請求項１に記載された事項により特定されるとおりのものである。（上記〔２〕ア.a参照。）
　なお、特許時の請求項３に係る発明は、上述のように訂正で削除された。
　また、訂正後の請求項２、３（特許時の請求項２、４）は、特許異議の申立てはされていない。
　
　ウ.甲号各証に記載された発明
　甲第１号証には、電気掃除機に関し、第１〜８図とともに以下の事項が記載されている。
(1)「電動機、電磁石等の電気機器を内蔵する吸込口において、吸込口継手の回動部に前記電気機器のスイッチ操作部を近接し、吸込口の継手の角度によって前記スイッチに入切を行うことを特徴とした電気掃除機。」（実用新案登録請求の範囲）
(2)「第１図に示すごとく吸口ケース１の継手２回動部においては、リミットスイッチ12のボタンが覗いており、第２図のごとく延長管４を垂直に立てた時、前記リミットスイッチ12が動作し、吸口ケース１内の電動機11が停止され、第３図のごとく、延長管４を後方に傾むけた時（掃除動作時）リミットスイッチ12のボタンが解除されて、前記電動機11が運転され回転ブラシが回転するものである。」（明細書第３頁第３〜11行）
(3)「他の実施例として第６図、第７図に示すごとく、ステック形掃除機においても、吸口ケース１内に電動機11、回転ブラシを内蔵するものにおいても、第１図に示すごとくリミットスイッチ12を設け、掃除機本体2，17を立てたり倒したりすることにより電動機11の運転停止ができるものである。また、第８図のごとく掃除機本体８内にリモコンリレー19を設け、吸口のリミットスイッチ12の操作により電動送風機14、吸口内の電動機11の運転停止を同時に行うこともできる。」（明細書第４頁第７〜17行）
　
　同じく甲第２号証には、電気掃除機に関して、第１〜３図とともに以下の事項が記載されている。
(4)「1)吸気口と連通する電動送風機を内蔵すると共に上部前面側に照明灯を設けた掃除機本体と該本体にアームを介して回動自在に枢支されたハンドル部を有する操作棒と、該操作棒の低い回動位置に連動して前記照明灯を点灯せしめるマイクロスイッチとにより構成したことを特徴とする電気掃除機。
2)前記アームにはマイクロスイッチを操作するカム部を設けたことを特徴とする実用新案登録請求の範囲第１項記載の電気掃除機。」（実用新案登録請求の範囲）
(5)「(10)は前記掃除機本体(1)の後部に回動自在に設けたアームで該アームには端部にハンドル部(11)を有した操作棒(12)が連結されている。(13)はコイルバネ(14)等により前記操作棒(12)のハンドル部(11)近傍に吊下げられた集塵袋で該袋の開口部は掃除機本体(1)の排気口に接続されている。而して(15)は前記アーム(10)の枢支部近傍に位置して掃除機本体(1)に設けたマイクロスイッチで該スイッチの操作突起(16)はアーム(10)と一体形成したカム部(17)により押圧されて照明灯(9)を自動的にON-OFF制御する。」（明細書第３頁第12行〜第４頁第２行）
　
エ.対比・判断
　本件発明と甲第１号証に記載のものとを対比すると、甲第１号証に記載の「掃除機本体17」は、本件発明の「電動送風機及び集塵室を内蔵した掃除機本体」に相当するものと認められ、同様に「吸口ケース」は、「掃除機本体の前部に前記集塵室と連通して回動自在に連結された床ノズル」に相当するものと認められる。
　第６、７図からみてもハンドルが図示されているから、甲第１号証に記載のものも、本件発明の「掃除機本体に設けられたハンドル」が記載されているものと認められ、
　甲第１号証には、引用例１の第８図からみて、本件発明の「電動送風機に電力を供給する電気回路を開閉することで電動送風機の運転を操作する操作手段」が記載されているものと認められ、
　甲第１号証には、引用例１の第１、６〜８図及び明細書の記載からみて、本件発明の「床ノズルに対し前記掃除機本体を傾けることにより、操作手段を作動させる可動部品を設け」た点が記載されているものと認められる。
　そうすると、両者は、
「電動送風機及び集塵室を内蔵した掃除機本体と、この掃除機本体に設けられたハンドルと、前記掃除機本体の前部に前記集塵室と連通して回動自在に連結された床ノズルとからなり、該床ノズル又は前記掃除機本体のいずれか一方に、前記電動送風機に電力を供給する電気回路を開閉することで電動送風機の運転を操作する操作手段と、前記床ノズルに対し前記掃除機本体を傾けることにより、操作手段を作動させる可動部品を設けることを特徴とする電気掃除機」で一致しており、
　本件発明は「傾きに連動して上下動するように取り付けられて前記操作手段を作動させる可動部品を設け、床ノズルと掃除機本体との間の空間が少ないか或いはゼロのときに前記床ノズル又は前記掃除機本体によって可動部品が動作される」のに対して、甲第１号証に記載されたものには、その構成を有しない点、で相違する。
　上記相違点について検討すると、なるほど、上記甲第２号証には、第３図に、掃除機本体(1)の近傍に位置してアーム(10)及びそれと一体形成したカム部(17)が形成され、該カム部(17)によりマイクロスイッチ(15)が操作されるものが図示され、本件発明の「傾きに連動して上下動するように取り付けられて前記操作手段を作動させる可動部品を設」けたものが開示されている。
　しかしながら、本件発明は、電気掃除機において、「床ノズルと掃除機本体との間の空間が少ないか或いはゼロのときに前記床ノズル又は前記掃除機本体によって可動部品が動作される」ようにしたもの、すなわち、掃除機本体部自体により可動部品が操作されるものであるので、操作性、使い勝手が良いのに対し、甲第１号証に記載されたものに、甲第２号証に記載された技術を組み合わせたとしても、掃除機本体(1)の近傍に位置してアーム(10)及びそれと一体形成したカム部(17)が形成され、該カム部(17)によりマイクロスイッチ(15)（本件発明の「可動部品」に相当する。）が操作されるものであり、複雑な構成となり、本件発明と比べて、操作性、使い勝手が良いとはいえない。
　したがって、本件発明は、上記甲第１、２号証に記載されたものに基づいて当業者が容易に発明をすることができたものとは認められない。
　
〔４〕むすび
　以上のとおりであるから、特許異議申立ての理由及び証拠によっては、本件発明に係る特許を取り消すことはできない。
　また、他に本件発明に係る特許を取り消すべき理由を発見しない。
　よって、結論のとおり決定する。
【異議決定日】
平成１３年６月１８日（２００１．６．１８）
【訂正の要旨】
　ａ．特許請求の範囲の請求項１に記載される「電動送風機及び集塵室を内蔵した掃除機本体と、この掃除機本体に設けられたハンドルと、前記掃除機本体の前部に前記集塵室と連通して回動自在に連結された床ノズルとからなり、該床ノズル又は前記掃除機本体のいずれか一方に電動送風機の運転を操作する操作手段を設け、前記床ノズルに対し前記掃除機本体を傾けることにより、その傾きに連動して上下動するように取り付けられた可動部品を介して前記操作手段を作動させて電気回路を開閉することを特徴とする電気掃除機。」を、「電動送風機及び集塵室を内蔵した掃除機本体と、この掃除機本体に設けられたハンドルと、前記掃除機本体の前部に前記集塵室と連通して回動自在に連結された床ノズルとからなり、該床ノズル又は前記掃除機本体のいずれか一方に、前記電動送風機に電力を供給する電気回路を開閉することで電動送風機の運転を操作する操作手段と、前記床ノズルに対し前記掃除機本体を傾けることにより、その傾きに連動して上下動するように取り付けられて前記操作手段を作動させる可動部品を設け、前記床ノズルと掃除機本体との間の空間が少ないか或いはゼロのときに前記床ノズル又は前記掃除機本体によって前記可動部品が動作されることを特徴とする電気掃除機。」と訂正する。
　ｂ．特許第３０３８５８７号明細書の請求項３を削除し、請求項４を新たな請求項３に繰り上げる。
　ｃ．詳細な説明中の明細書第３頁第８〜１３行（特許公報第３欄第４２行〜第４欄第５行）の「掃除機本体と、ハンドルと、掃除機本体の前部に連結された床ノズルとからなり、床ノズル又は掃除機本体のいずれか一方に、床ノズルに対し掃除機本体を傾けることにより本体内の電気回路の開閉を、その傾きに連動して上下動するように取り付けられた可動部品を介して、又はその傾きに連動して発光素子からの信号が受光素子で受信できない構成とし、その信号の変化を検知回路を通して、又はその傾きに連動して掃除機本体が回転する支点部の軸に設けたカムを回転させて行なう電動送風機の運転操作手段を設けたものである。また、前記床ノズル又は前記掃除機本体のいずれか一方に、前記床ノズルに対し前記掃除機本体の傾き角度を変化させることにより電動送風機の吸塵力を変化させる入力制御手段を設けたものである。」を「掃除機本体と、ハンドルと、掃除機本体の前部に連結された床ノズルとからなり、床ノズル又は掃除機本体のいずれか一方に、前記電動送風機に電力を供給する電気回路を開閉することで電動送風機の運転を操作する操作手段と、前記床ノズルに対し前記掃除機本体を傾けることにより、その傾きに連動して上下動するように取り付けられて前記操作手段を作動させる可動部品を設け、前記床ノズルと掃除機本体との間の空間が少ないか或いはゼロのときに前記床ノズル又は前記掃除機本体によって前記可動部品が動作されるものである。また、床ノズルに対し掃除機本体を傾けることによりその傾きに連動して発光素子からの信号が受光素子で受信できない構成とし、その信号の変化を検知回路を通して、前記操作手段を作動させて電気回路を開閉するものである。また、前記床ノズル又は前記掃除機本体のいずれか一方に、前記床ノズルに対し前記掃除機本体の傾き角度を変化させることにより電動送風機の吸塵力を変化させる入力制御手段を設けたものである。」と訂正する。
　ｄ．詳細な説明中の明細書第８頁第６〜１０行（特許公報第６欄第１３〜２２行）の「以上のように、本発明は掃除時に掃除機本体を傾けて使用することを利用し、床ノズルに対する掃除機本体の傾き角度の変化により電気回路をＯＮ，ＯＦＦする操作手段を設けたので、電動送風機の操作性が向上し、使い勝手のよい電気掃除機を得ることができる。また、本発明によれば、傾斜面であっても電気回路をＯＦＦさせることなく使用することができる。さらに、本体の傾き量に応じて、吸塵力を変化させることができるので、被掃除面の状態等に応じて良好な吸塵状態を選択することができる。」を「以上のように、本発明の請求項１に記載の電気掃除機によれば、掃除時に掃除機本体を傾けて使用することを利用し、床ノズルに対する掃除機本体の傾き角度の変化により電気回路をＯＮ，ＯＦＦする操作手段を設けたので、電動送風機の操作性が向上し、使い勝手のよい電気掃除機を得ることができる。また、傾斜面であっても電気回路をＯＦＦさせることなく使用することができる。また、本発明の請求項２に記載の電気掃除機によれば、掃除時に掃除機本体を傾けて使用することを利用し、床ノズルに対する掃除機本体の傾き角度の変化により電源回路をＯＮ，ＯＦＦする操作手段を設けたので、電動送風機の操作性が向上し、使い勝手のよい電気掃除機を得ることができる。また、傾斜面であっても電気回路をＯＦＦさせることなく使用することができる。さらに、本発明の請求項３に記載の電気掃除機によれば、本体の傾き量に応じて、吸塵力を変化させることができるので、被掃除面の状態等に応じて良好な吸塵状態を選択することができる。」と訂正する。
（５４）【発明の名称】
電気掃除機
（５７）【特許請求の範囲】
　【請求項１】　電動送風機及び集塵室を内蔵した掃除機本体と、この掃除機本体に設けられたハンドルと、前記掃除機本体の前部に前記集塵室と連通して回動自在に連結された床ノズルとからなり、該床ノズル又は前記掃除機本体のいずれか一方に
、前記
に電力を供給する電気回路を開閉することで電動送風機
と、
て前記操作手段を作動させる可動部品を設け
　
前記床ノズルと掃除機本体との間の空間が少ないか或いはゼロのときに前記床ノズル又は前記掃除機本体によって前記可動部品が動作される
　【請求項２】　電動送風機及び集塵室を内蔵した掃除機本体と、この掃除機本体に設けられたハンドルと、前記掃除機本体の前部に前記集塵室と連通して回動自在に連結された床ノズルとからなり、該床ノズル又は前記掃除機本体のいずれか一方に電動送風機の運転を操作する操作手段を設け、前記床ノズルに対し前記掃除機本体を傾けることにより、その傾きに連動して発光素子からの信号が受光素子で受信できない構成とし、その信号の変化を検知回路を通して前記操作手段を作動させて電気回路を開閉することを特徴とする電気掃除機。
　
【請求項３】
【発明の詳細な説明】
　［産業上の利用分野］
　本発明は電気掃除機に係り、さらに詳しくは、掃除機本体と、ハンドルと、床ノズルとを一体的に構成したアップライト型電気掃除機に関するものである。
　［従来の技術］
　第１１図、第１２図は従来のアップライト型電気掃除機の外観図で、第１１図は使用状態を、また第１２図は格納状態を示す。電動送風機及び集塵室を内部に設けた掃除機本体（１）の前部には床ノズル（３）が回転自在に連結されており、また後部には掃除時に把持するハンドル（１１）が突設され、さらに上部には電動送風機を操作制御するための操作部（２ａ）が配設されている。なお床ノズル（３）は回転ブラシ駆動用電動機を内蔵している。そして、保管収納時にはハンドル（１１）を掃除機本体（１）内に縮めて収納でき、収納庫などに格納するのに便利なように構成されており、また高さを低くすることにより安定性の向上をはかっている。掃除時はハンドル（１１）を掃除機本体（１）から引き出し、ハンドル（１１）の後端部に設けた握り部（１２）を持って移動し、電動送風機の制御を行う際は、掃除機本体（１）に設けられた操作部（２ａ）まで手を伸ばして操作するようになっている。
　［発明が解決しようとする課題］
　従来のアップライト型の電気掃除機は、電動送風機の操作部を掃除機本体に設けたため、電動送風機を制御する場合はその都度操作部まで手を伸ばして操作しなければならないので、操作性が悪いという問題があった。
　本発明は、上記の課題を解決するためになされたもので、操作性のよいアップライト型の電気掃除機を得ることを目的としたものである。
　［課題を解決するための手段］
　本発明に係る電気掃除機は、掃除機本体と、ハンドルと、掃除機本体の前部に連結された床ノズルとからなり、床ノズル又は掃除機本体のいずれか一方に、
前記
に電力を供給する電気回路を開閉することで電動送風機
と、
て前記操作手段を作動させる可動部品を設け
　
前記床ノズルと掃除機本体との間の空間が少ないか或いはゼロのときに前記床ノズル又は前記掃除機本体によって前記可動部品が動作されるものである。また、床ノズルに対し掃除機本体を傾けることにより
前記操作手段を作動させて電気回路を開閉するものである
　［作用］
　本発明に係る電気掃除機は、保管収納時には掃除機本体が床ノズルに対してほぼ垂直な状態であり、掃除時にはハンドルの握り部をもつことにより、掃除機本体は保管収納時に対して傾くことになる。そこで電動送風機の運転操作手段が保管収納時においては掃除機本体内の電気回路を電気的にＯＦＦの状態にし、掃除時において掃除機本体が傾きをもつことにより自動的に電気回路を電気的にＯＮ状態にする。また、前記床ノズルに対し前記掃除機本体の傾き角度を変化させることにより前記入力制御手段を作動させて電動送風機の吸塵力を変化させる入力制御手段により、被掃除面の性状に合わせて吸塵力を調整することもできる。
　［発明の実施例］
　第１図、第２図は本発明実施例の外観図で、第１図は使用状態を、また第２図は格納状態を示す。両図において、（１）は掃除機本体で、内部には図示していないが電動送風機とこの電動送風機の吸込側に連通する集塵室とが設けられている。また掃除機本体（１）の前部には集塵室と連通させて回動自在に連結され、被掃除面上に接する床ノズル（３）が設けられている。床ノズル（３）には図示していないが、回転ブラシが回転自在に支持されているとともに、この回転ブラシを回転駆動する電動機が設けられており、また、掃除機本体（１）との対向面又はその近傍面には、第２図〜第４図に示すように電動送風機の運転操作手段（５）と、電動送風機の入力制御手段（６）が配設されている。運転操作手段（５）は床ノズル（３）の上面ケース（４）に取り付けられ、掃除機本体（１）の傾きに連動して上下動する可動部品（７）を介して掃除機本体（１）の本体ケース（２）と接触している。入力制御手段（６）も同様にして床ノズル（３）の上面ケース（４）に取り付けられ、第４図に示すように掃除機本体（１）の傾きに連動して上下に摺動する摺動部品（８）と、摺動距離を拡大する拡大機構（９）を介して、掃除機本体（１）の本体ケース（２）と接触している。
　掃除機本体（１）の下面側には、掃除機本体（１）の軸方向に伸び後面が開口された膨出部（１０）が形成されており、この膨出部（１０）内には中空円筒形の長い棒状のハンドル（１１）が配設されて掃除機本体（１）の軸方向へ摺動自在に支持されており、後端部には握り部（１２）が設けられている。そして保管収納時にはハンドル（１１）を掃除機本体（１）の膨出部（１０）内に収納し、掃除時はハンドル（１１）を引き出して使用する。
　前述の操作手段（５）と入力制御手段（６）は第５図に示すように直列に接続されており、運転操作手段（５）により電源（３０）のＯＮ，ＯＦＦを行い、電源（３０）がＯＮの時は入力制御手段（６）に通電され、電動送風機（３１）を起動する。
　次に、上記実施例の作用について説明する。掃除の直前にはハンドル（１１）が掃除機本体（１）の膨出部（１０）内に収納されており、掃除機本体（１）は床面に対してほぼ垂直に床ノズル（３）上に立っている。そのため床ノズル（３）と掃除機本体（１）との間には空間が少ないか、又はゼロなので、本体ケース（２）により可動部品（７）が圧下され、運転操作手段（５）が電気的にＯＦＦになっている。掃除のときはハンドル（１１）を膨出部（１０）から引き出してハンドル（１１）の握り部（１２）をもつことにより、掃除機本体（１）は傾いて床ノズル（３）と掃除機本体（１）との空間が大きくなり、本体ケース（２）に接触していた可動部品（７）もこれに連動して上昇し、それに伴って運転操作手段（５）が電気的にＯＮになり、電動送風機が起動する。
　また、掃除時に掃除機本体（１）の傾き角度を変化させると、その傾き角度量により入力制御手段（６）の摺動部品（８）の摺動距離が増減する。この増減は拡大機構（９）を介して入力制御手段（６）に伝達され、入力制御手段（６）からの出力信号、したがって電動送風機への入力が変化し、床ノズル（３）の吸塵力が変化するので、被掃除面の性状に応じた吸塵力に変更できる。なお、使用者の身長の違いなどにより掃除時の掃除機本体（１）の傾き角度の相違によっても変化するので、膨出部（１０）からのハンドル（１１）の引き出し量を加減して適当な傾き角度とすることにより、所望の吸塵力となるように調整することができる。
　上記の実施例では、掃除機本体（１）の本体ケース（２）の動きにより、床ノズル（３）の上面ケース（４）に取り付けた可動部品（７）が昇降することにより運転操作手段（５）が動作する場合を示したが、運転操作手段（５）及び可動部品（７）、入力制御手段（６）及び摺動部品（８）の配置関係は本体ケース（２）と床ノズル（３）との間で入れ換えてもよい。また、第６図〜第８図に示すように、掃除機本体（１）の下部に発光素子（１５）を配設し、床ノズル（３）の上面ケース（４）には発光素子（１５）に対向して受光素子（１６）を設け、収納保管時においては発光素子（１５）からの信号を受光素子（１６）が受信できるよう配設し、掃除時には掃除機本体（１）を傾けることにより、受光素子（１５）からの信号が受光素子（１６）で受信できないように構成し、その信号の変化を検知回路（１７）を通して運転操作手段（５）を動作させるようにしても上記実施例と同様の効果が得られる。
　また、第９図、第１０図に示すように、掃除機本体（１）が回転する場合の支点部の軸（１８）にカム（１９）を設け、掃除機本体（１）を傾けることによりカム（１９）を回転させ、運転操作手段（５）を断続させてもよい。
　［発明の効果］
　以上のように、本発明の
請求項１に記載の電気掃除機によれば、
、傾
　
また本発明の請求項２に記載の電気掃除機によれば、掃除時に掃除機本体を傾けて使用することを利用し、床ノズルに対する掃除機本体の傾き角度の変化により電源回路をＯＮ，ＯＦＦする操作手段を設けたので、電動送風機の操作性が向上し、使い勝手のよい電気掃除機を得ることができる。また、傾斜面であっても電気回路をＯＦＦさせることなく使用することができる。
　さらに、
本発明の請求項３に記載の電気掃除機によれば、
【図面の簡単な説明】
　第１図は本発明実施例の使用状態を示す側面図、第２図ば同じく格納状態を示す側面図、第３図（ａ）は本発明要部の実施例の断面図、（ｂ）はその作用説明図、第４図は同じく入力制御手段の実施例の断面図、第５図は本発明の回路図、第６図は本発明の他の実施例の断面図、第７図（ａ）はその検知手段の実施例の断面図、（ｂ）はその作用説明図、第８図は同じく回路図、第９図は本発明のさらに他の実施例の断面図、第１０図（ａ）は第９図の制御手段付近の実施例の側面図、（ｂ）はその作用説明図、第１１図は従来のアップライト型電気掃除機の使用時の側面図、第１２図は同じく保管時の側面図である。
　図において、（１）は掃除機本体、（３）は床ノズル、（５）は運転操作手段、（６）は入力制御手段、（７）は可動部品、（８）は摺動部品、（９）は拡大機構、（１１）はハンドル、（１４）は検知手段、（１９）はカムである。
　なお、図中同一符号は同一又は相当部分を示す。